(57)【特許請求の範囲】
【請求項１】
膣内に挿入される吸収体（１１）を有する体液吸収製品（１０）が、包装シート（２１）で形成された袋（２０）内に個別に包装されている個包装体において、
前記袋（２０）は縦長形状であり、前記袋（２０）には、袋の横方向に向く線に沿って包装シート（２１）を切断して第１の袋部分（２０Ａ）と第２の袋部分（２０Ｂ）に分離する切り離し部（２５）が設けられており、
前記袋（２０）の内部に使用済みの前記吸収体（１１）を処理する際に用いられる処理シート（３１）が収納されており、
前記処理シート（３１）が前記第２の袋部分（２０Ｂ）の内部に固定されているとともに、前記処理シート（３１）が前記第２の袋部分（２０Ｂ）から外側へ突出していることを特徴とする体液吸収製品の個包装体。
【請求項２】
前記第２の袋部分（２０Ｂ）の端部では、前記包装シート（２１）の間に前記処理シート（３１）の一部が挟まれた状態で、前記包装シート（２１）と前記処理シート（３１）とが一緒に融着されて閉じられている請求項１記載の体液吸収製品の個包装体。
【請求項３】
前記体液吸収製品（１０）は、前記吸収体（１１）とこの吸収体（１１）の後端部から延びる紐（１２）とを有しており、前記吸収体（１１）が前記第１の袋部分（２０Ａ）の中に納められている請求項１または２記載の体液吸収製品の個包装体。
【請求項４】
前記体液吸収製品（１０）は、前記吸収体（１１）を収納した外筒（１４）と、前記紐（１２）が挿通され且つ前記吸収体（１１）を前記外筒（１４）から押し出す内筒（１６）を有するアプリケータ（１３）が設けられたものであり、前記外筒（１４）が前記第１の袋部分（２０Ａ）の中に納められている請求項１または２記載の体液吸収製品の個包装体。
【請求項５】
前記処理シート（３１）は筒体（３０）である請求項１ないし４のいずれかに記載の体液吸収製品の個包装体。
【請求項６】
前記筒体（３０）を広げたときの直径は、前記第２の袋部分（２０Ｂ）の直径よりも大きく、前記筒体（３０）が折り畳まれた状態で前記袋（２０）の内部に収納されている請求項５記載の体液吸収製品の個包装体。
【請求項７】
前記筒体（３０）は、前記第２の袋部分（２０Ｂ）から突出している開口部（３４）の直径が、前記第２の袋部分（２０Ｂ）の内部に位置する部分の直径よりも大きい請求項５記載の体液吸収製品の個包装体。
【請求項８】
前記第２の袋部分（２０Ｂ）から突出している前記筒体（３０）の開口部（３４）で、前記処理シート（３１）の一部が筒体（３０）の外側に曲げられて折り曲げシート部（３７）が形成されており、この折り曲げシート部（３７）とその内側に位置する筒体（３０）外面との間にポケット部（３８）が形成されている請求項５ないし７のいずれかに記載の体液吸収製品の個包装体。
【請求項９】
前記処理シート（６１）は、任意の位置に設定される折り中心（６２）から放射状に延びる折り線（６３，６４，６５）で折り畳まれており、前記折り中心（６２）またはその近傍が前記包装シート（２１）の内面に固定されている請求項１ないし４のいずれかに記載の体液吸収製品の個包装体。
【請求項１０】
前記処理シート（７１）が丸められて、その一部が前記包装シート（２１）の内面に固定されている請求項１ないし４のいずれかに記載の体液吸収製品の個包装体。
【請求項１１】
前記袋（２０）は、前記体液吸収製品（１０）が収納される空間と、前記処理シート（３１）が収納される空間とに区分されている１ないし１０のいずれかに記載の体液吸収製品の個包装体。
【請求項１２】
前記処理シート（３１）は液遮断機能を有する請求項１ないし１１のいずれかに記載の体液吸収製品の個包装体。
【請求項１３】
前記処理シート（３１）は、一方の面が吸水機能を有する繊維構造物で形成されている請求項１２記載の体液吸収製品の個包装体。
【請求項１４】
前記処理シート（３１）は液遮断機能を有するとともに、前記筒体（３０）の内面が吸水機能を有する繊維構造物で形成されている請求項５ないし８のいずれかに記載の体液吸収製品の個包装体。
【請求項１５】
前記処理シート（３１）には、使用済みの前記吸収体（１１）を収納した後に処理シートを閉じた状態に支持する止着手段（３９ａ，５９）が設けられている請求項１ないし１４のいずれかに記載の体液吸収製品の個包装体。
【発明の詳細な説明】
【０００１】
【発明の属する技術分野】
本発明は、膣内に挿入される吸収体を有する体液吸収製品が、袋で個別に包装された個包装体に係り、特に袋を開封した後に使用済みの吸収体を手を汚すことなく廃棄処理しやすくした体液吸収製品の個包装体に関する。
【０００２】
【従来の技術】
体液吸収製品として、膣内に挿入される吸収体と前記吸収体の後端部から延びる紐とを有するいわゆる生理用タンポンが存在している。
【０００３】
従来市販されている前記体液吸収製品としては、アプリケータ内に生理用タンポンが収納されているもので前記アプリケータを用いて吸収体を体内に挿入するもの、またはアプリケータを用いずに指で吸収体を体内に挿入するものがある。前記アプリケータを用いたものは、生理用タンポンとアプリケータとが組み合わされた状態で、個別に袋で包装されて個包装体とされ、前記アプリケータを用いないものは前記生理用タンポンが個別に袋で包装されて個包装体とされている。そして、複数の前記個包装体が箱に収納されたものが製品パッケージとして店頭に並べられている。
【０００４】
前記体液吸収製品を新たなものに交換するときには、使用中の生理用タンポンを体内から取り出し、トイレットペーパやティッシュペーパを複数枚重ねたものを使用して使用済みの生理用タンポンを包んで廃棄していることが多い。そして、新たな体液吸収製品の個包装体の袋を開封して、袋から取り出した生理用タンポンを体内に装着している。
【０００５】
また、実開昭６１−１１５５２５号公報に記載の生理用タンポンの包装体は、未使用の生理用タンポンが封入されている第１の袋と、生理用タンポンが封入されていない第２の袋とがミシン目によって分離できるように連結されている。生理用タンポンの装着者は、まず使用済みの生理用タンポンを体内から取り出し、取り出した使用済みの生理用タンポンを前記第２の袋内に入れ、この第２の袋の口を粘着剤が設けられた蓋部分で閉じることで廃棄できる。そして前記第１の袋を開封して新たな生理用ナプキンを装着できるようにしている。
【０００６】
また、特開平７−３２３０４５号公報には、生理用ナプキンを封入した袋の中に、ペーパが一緒に封入されたものが開示されている。新たな生理用ナプキンを使用するときに袋を開封して内部から前記ペーパを取り出し、このペーパで局部の汚れを拭き取ってから、新たな生理用ナプキンを装着するというものである。
【０００７】
【発明が解決しようとする課題】
前記実開昭６１−１１５５２５号公報に記載のものを使用すると、使用済みの生理用タンポンを第２の袋に入れて封をして廃棄できるため、その後は使用済みの生理用タンポンで手を汚すことがない。しかし、体内から取り出した生理用タンポンを前記第２の袋に入れるまでの間に、指で生理用タンポンを掴んだり、トイレットペーパやティッシュペーパを介して指で生理用タンポンを掴んで前記第２の袋に入れることが必要となり、その間に指を汚しやすい。
【０００８】
また吸収体を体内から取り出すときに、トイレットペーパで紐を掴んで引き出すこともあるが、このとき紐に付着している経血が指に付着して指を汚しやすい。また、体外へ出ている紐をトイレットペーパを介して指で掴もうとするときに、紐を掴む感覚が指に伝わりにくいため、紐をすぐに探すことができないという問題も生じる。
【０００９】
また、特開平７−３２３０４５号公報に記載のものは、袋の中にペーパが入っているが、袋を開封し生理用ナプキンを取り出したときに、ペーパが一緒に袋から出て脱落するおそれがあり使用しずらい。また前記ペーパが生理用ナプキンに連結されており、使用時にペーパをナプキンから切り離すものも開示されている。しかし前記ペーパをナプキンから切り離すのも煩雑である。またペーパが使用前のナプキンに連結されているという構造は不自然であり実用性に乏しい。
【００１０】
またこの公報に開示されているのは袋に封入されているのがペーパであるため、このペーパで使用済みのナプキンや生理用タンポンなどの体液吸収製品を包んだとしても、ペーパから経血が滲み出やすい。
【００１１】
本発明は前記従来の課題を解決するものであり、体液吸収製品を交換する際に、袋を開封したときに、開封操作の直後に直ちに処理シートを用いて体液吸収製品を手を汚すことなく処理できるようにした体液吸収製品の個包装体を提供するものである。
【００１２】
【課題を解決するための手段】
本発明は、膣内に挿入される吸収体を有する体液吸収製品が、包装シートで形成された袋内に個別に包装されている個包装体において、
前記袋は縦長形状であり、前記袋には、袋の横方向に向く線に沿って包装シートを切断して第１の袋部分と第２の袋部分に分離する切り離し部が設けられており、
前記袋の内部に使用済みの前記吸収体を処理する際に用いられる処理シートが収納されており、
前記処理シートが前記第２の袋部分の内部に固定されているとともに、前記処理シートが前記第２の袋部分から外側へ突出していることを特徴とするものである。
【００１３】
この個包装体では、前記切り離し部によって袋の一部を切り離したときに、分離した袋部分に処理シートが連結されているため、開封直後に処理シートを手にすることができる。よってこの処理シートを用いて、使用中の吸収体から延びる紐を掴んで引き出したり、体外へ出た吸収体を直ちに処理シートで包むことができる。
【００１５】
この個包装体では、袋を２つに分離した後に、処理シートが第２の袋部分から突出している大きさであるため、この処理シートを簡単に広げて使用済みの吸収体などを処理できる。
【００１６】
また、前記第２の袋部分の端部では、前記包装シートの間に前記処理シートの一部が挟まれた状態で、前記包装シートと前記処理シートとが一緒に融着されて閉じられているものが好ましい。
【００１７】
前記処理シートが袋の端部のシール部で一緒に融着されていると、包装シートの内面に処理シートを固着する手段を別途設ける必要がなく、製造が容易である。
【００１８】
また、前記体液吸収製品が、前記吸収体とこの吸収体の後端部から延びる紐とを有しているものである場合に、前記吸収体が前記第１の袋部分の中に納められているもの、または、前記体液吸収製品は、前記吸収体を収納した外筒と、前記紐が挿通され且つ前記吸収体を前記外筒から押し出す内筒を有するアプリケータが設けられたものであり、前記外筒が前記第１の袋部分の中に納められていることが好ましい。
【００１９】
吸収体またはアプリケータの外筒が、前記第１の袋部分の中に納められていると、第２の袋部分に設けられた処理シートで使用済みの吸収体などを処理しているときに、第１の袋部分の中に納められている未使用の吸収体またはアプリケータの外筒を衛生な状態に保つことができる。
【００２０】
前記において、前記処理シートは例えば筒体である。この場合に、前記筒体を広げたときの直径は、前記第２の袋部分の直径よりも大きく、前記筒体が折り畳まれた状態で前記袋の内部に収納されているものが好ましく、あるいは前記筒体は、前記第２の袋部分から突出している開口部の直径が、前記第２の袋部分の内部に位置する部分の直径よりも大きいものが好ましい。
【００２１】
前記処理シートが筒体であると、使用済みの吸収体を前記筒体の内部に納めて廃棄できる。また前記のように筒体の開口部をその直径が大きくなるように広げるようにすると、使用済みの吸収体を前記筒体内に簡単に包みこむことができる。
【００２２】
また、前記第２の袋部分から突出している前記筒体の開口部で、前記処理シートの一部が筒体の外側に曲げられて折り曲げシート部が形成されており、この折り曲げシート部とその内側に位置する筒体外面との間にポケット部が形成されているものが好ましい。
【００２３】
この例では、前記ポケット部に指を入れて筒体の内面で、使用済みの生理用タンポンを保持できるようになり、手を汚しにくくなる。また筒体の内部に使用済みの生理用タンポンを入れた後に折り返し部を元の状態に戻せば、使用済みの生理用タンポンを筒体の内部に完全に納めることができる。
【００２４】
あるいは、前記処理シートは、シートの任意の位置に設定される折り中心から放射状に延びる折り線で折り畳まれており、前記折り中心またはそのその近傍が前記包装シートの内面に固定されているものであってもよい。
【００２５】
このように処理シートが畳まれて包装シートの内面に固定されていると、個包装体を開封した後に、処理シートを広く広げて使用することができる。
【００２６】
あるいは、前記処理シートが筒状に丸められて、その一部が前記包装シートの内面に固定されているものであってもよい。
【００２７】
また、前記袋は、前記体液吸収製品が収納される空間と、前記処理シートが収納される空間とに区分されているものであってもよい。
【００２８】
さらに、前記処理シートは液遮断機能を有するものが好ましい。
処理シートが液遮断機能を有していると、処理シートで使用済みの吸収体や紐を掴んだときに指へ汚れが付着しにくい。
【００２９】
また、前記処理シートは、一方の面が吸水機能を有する繊維構造物で形成されているものが好ましく、例えば、前記筒体の内面が吸水機能を有する繊維構造物で形成されているが好ましい。
【００３０】
前記処理シートの吸水機能を有する面で使用済みの吸収体を包むようにすると、吸収体から滲み出る液が前記繊維構造物で吸収され、液が外部に洩れにくくなる。
【００３１】
また、前記処理シートには、使用済みの前記吸収体を収納した後に処理シートを閉じた状態に支持する止着手段が設けられていることが好ましい。
【００３２】
前記止着手段によって処理シートを閉じたままの状態で維持することにより、吸収体に吸収された液が処理シートの外部に洩れるのを防止できるようになる。
【００３３】
【発明の実施の形態】
図１は本発明の体液吸収製品の個包装体を示す斜視図、図２（Ａ）（Ｂ）は前記個包装体を開封した状態を示す斜視図である。
【００３４】
図１および図２に示す個包装体１は、体液吸収製品１０が１個ずつ個別に袋２０で包装されているものである。
【００３５】
この実施の形態の体液吸収製品１０は、吸収体１１と、前記吸収体１１の後端部から延びる紐１２とを有するいわゆる生理用タンポンが、アプリケータ１３内に収納されているものである。
【００３６】
前記吸収体１１は、コットンやレーヨンなどの親水性繊維を圧縮して、表面を不織布などの透液性シートで包んだものである。生理中の女性の膣内に吸収体１１が挿入されると、吸収体１１が経血を吸収して膣内で膨張する。前記吸収体１１を膣内に挿入しているときには前記紐１２を膣口から体外へ出しておき、この紐１２を引くことにより使用後の吸収体１１を膣内から取り出すことができる。
【００３７】
前記アプリケータ１３は合成樹脂材料で形成されているものであり、前記吸収体１１を収納している外筒１４と、前記吸収体１１の後端部に対向して前記外筒１４に対して摺動自在に挿入された内筒１６とを有している。外筒１４の先端部には複数の開放爪１５が互いに分割されて一体に形成されている。また、前記吸収体１１の後端部から延びる前記紐１２は、前記内筒１６内に挿通されて内筒１６の後端部から後方へ突出している。
【００３８】
この体液吸収製品１０を使用するときには、前記アプリケータ１０の外筒１４を膣内に挿入し、内筒１６を外筒１４の内部に押し込む。このとき内筒１６によって外筒１４内の吸収体１１が押し出され、外筒１４の先端部分の前記開放爪１５が開くように変形させられて、吸収体１１が膣内に挿入される。
【００３９】
前記袋２０は、包装シート２１で形成されている。この実施の形態での前記包装シート２１は、ポリエチレンフィルムである。ただしポリエチレンフィルムの代わりに、ポリプロピレンフィルム、紙材、ポリエチレンフィルムと紙材とのラミネート材などを使用することも可能である。
【００４０】
前記袋２０はいわゆるピロー包装形態となっている。すなわち、帯状に連続した前記ポリエチレンフィルムが縦シール部２２によってシールされて筒体が形成され、この筒体の内部に前記体液吸収製品１０が挿入されて、前記体液吸収製品１０の一方の端部に横シール部２３が形成され、他方の端部に横シール部２４が形成され、隣接する横シール部２３と横シール部２４との間で包装シート２１が切断されて、１個ずつの個包装体１とされる。
【００４１】
前記袋２０の中央部分には、前記袋２０を縦方向（Ｙ方向）へ二分するための切り離し部２５が設けられている。図１に示す例では、前記包装シート２１が、縦方向（Ｙ方向）と直交する横方向に延伸処理された樹脂フィルムで形成されているとともに、前記縦シール部２２から側方へ突出している包装シート２１の縁部に、切断線を形成するきっかけとなる切り込みが形成されており、この切り込みが前記切り離し部２５となっている。前記切り込みをきっかけとして包装シートを破ると、袋２０の横方向に向く矢印Ｘに沿って切断線が進行し、前記包装シート２１を容易に切断することができる。
【００４２】
あるいは、前記矢印Ｘに沿って開封用のテープを前記包装シート２１の外面または内面に接着剤で接着し、あるいは熱シールにより固着する。このテープは横方向に向けられて袋２０の全周に固定されていてもよいし、または前記周方向の一部に固定されていてもよい。そして前記テープの端部は袋２０の外部に突出させられている。このテープを保持してＸ方向へ引き剥がすことにより、包装シート２１にＸ方向に向く切断線を進行させることができ、包装シート２１を容易に切断することができる。
【００４３】
または、前記切り離し部２５として、前記包装シート２１に袋２０を周方向に沿って連続して切断できるように形成されたミシン目を設けたものであってもよい。
【００４４】
前記袋２０が前記切り離し部２５の部分で切断されることによって、前記袋２０が、図２（Ａ）に示す第１の袋部分２０Ａと、図２（Ｂ）に示す第２の袋部分２０Ｂとに分離される。そして、前記体液吸収製品１０の吸収体１１およびこれが収納された外筒１４が前記第１の袋部分２０Ａの内部に位置し、紐１２およびこの紐１２が挿通されている内筒１６が前記第２の袋部分２０Ｂの内部に位置している。
【００４５】
前記第２の袋部分２０Ｂの内部には、処理シート３１で形成された筒体３０が収納されている。
【００４６】
図３（Ａ）は、前記第２の袋部分２０Ｂが分離された状態での前記第２の袋部分２０Ｂおよび前記筒体３０を示す斜視図であり、図３（Ｂ）は前記筒体３０の構造を示す斜視図である。
【００４７】
前記処理シート３１は、筒体３０の外面となる第１の表面３１ａと、筒体３０の内面となる第２の表面３１ｂを有している。処理シート３１は液遮断機能を有しており、前記第１の表面３１ａはポリエチレンフィルム、ポリプロピレンフィルムなどの樹脂フィルムで形成され、または撥水処理された不織布などで形成されている。
【００４８】
前記第２の表面３１ｂは吸水機能を発揮できる繊維構造物で形成されている。前記繊維構造物は、熱融着が可能で且つ吸水機能を有しており、例えばポリエチレンやポリプロピレンなどの親水処理された繊維でスパンボンド法などで形成された不織布である。あるいはポリエチレンやポリプロピレンの単繊維、または鞘部がポリエチレンで芯部がポリプロピレンまたはポリエステルの芯鞘構造で且つ親水処理された複合合成繊維でエアースルー法やスパンレース法で形成された不織布で形成されている。あるいは前記スパンレース法などで形成された不織布にレーヨンやパルプなどの親水性繊維が含まれたものであってもよい。
【００４９】
前記第１の表面３１ａに現れる樹脂フィルムと、第２の表面３１ｂに現れる繊維構造物は、接着剤を用いた接着手段や熱融着手段などにより一体化されている。または、前記繊維構造物の片面に溶融樹脂を押し出して樹脂フィルムと繊維構造物とをラミネートしたものであってもよい。
【００５０】
図３（Ｂ）に示すように、前記処理シート３１の端縁部３１ｃと端縁部３１ｄが重ねられた状態で、重なり部が縦方向に延びるシール線３２によって熱シールされて筒体３０が形成されている。この筒体３０を真円の筒となるように広げたときの直径は、前記第２の袋部分２０Ｂを真円の筒となるように広げたときの直径よりも十分に大きい。筒体３０を広げたときの直径は、使用済みの吸収体１１を包みやすいように４０ｍｍ以上であることが好ましく、さらに好ましくは６０ｍｍ以上である。
【００５１】
また、前記筒体３０の縦方向の長さ寸法Ｌ１は、第２の袋部分２０Ｂの縦方向の長さ寸法Ｌ２よりも十分に長いことが必要であり、図２（Ｂ）および図３（Ａ）に示すように、第２の袋部分２０Ｂが分離された状態で、前記筒体３０が前記第２の袋部分２０Ｂよりも突出していることが必要である。
【００５２】
前記袋２０の前記横シール部２３と横シール部２４との間の長さＬ０は、体液吸収製品１０の全長寸法よりも２０〜５０ｍｍの範囲で長いことが好ましく、体液吸収製品１０がレギュラーサイズで全長が１２０ｍｍの場合、前記Ｌ０は１４０から１７０ｍｍであることが好ましい。
【００５３】
また第１の袋部分２０Ａの縦方向の長さ寸法、すなわち横シール部２３から切り離し部２５までの長さ寸法Ｌ３は、アプリケータ１３の外筒１４の長さ寸法よりも大きいことが好ましい。またアプリケータ１３を用いず、吸収体１１と紐１２がそのまま包装されるタイプでは、前記長さ寸法Ｌ３は吸収体１１の全長よりも長いことが好ましい。
【００５４】
レギュラーサイズの体液吸収製品１０では、外筒１４の全長が７０ｍｍ程度であるため、前記第１の袋部分２０Ａの長さ寸法Ｌ３は７０ｍｍ以上であることが好ましい。また吸収体１１の長さ寸法は５０ｍｍ程度であるため、吸収体１１が直接に収納されるタイプでは、前記第１の袋部分２０Ａの長さ寸法Ｌ３が５０ｍｍ以上であることが好ましい。第１の袋部分２０Ａの長さ寸法Ｌ３が前記範囲内であると、第１の袋部分２０Ａと第２の袋部分２０Ｂとに分離されたときに、外筒１４または吸収体１１が第１の袋部分２０Ａの内部に納められた状態となり、外筒１４または吸収体１１を第１の袋部分２０Ａから取り出すまでの間、衛生的な状態を保つことができる。
【００５５】
図３（Ｂ）に示すように、前記筒体３０は、内側折込部３０ａ，３０ｂ，３０ｃ，３０ｄが形成されて折り畳まれ、前記袋２０の内部に納められる寸法とされている。そして、筒体３０の基端部３３は、前記横シール部２４の部分において、包装シート２１に挟まれた状態で包装シート２１と共に熱シールされて、第２の袋部分２０Ｂの端部に固定されている。このように前記横シール部２４は、袋２０の端部を封止する機能と前記処理シート３１を固定する機能の双方を発揮している。よって前記処理シート３１を袋２０の内部に固定するための固定手段を別個に設ける必要はない。
【００５６】
図１に示すように、袋２０の内部においては、前記筒体３０の開口部３４が第１の袋部分２０Ａ内にまで延びている。そして前記筒体３０は折り畳まれた状態で、前記アプリケータ１３の内筒１６、および外筒１４の一部に重ねられている。
【００５７】
この個包装体１の前記袋２０の外面には、イラストや文章により開封方法が直ぐに理解できるように記載され、使用者が利き腕側の手で第２の袋部分２０Ｂを掴み、逆側の手で第１の袋部分２０Ａを掴むように示唆されている。
【００５８】
通常は、第１の袋部分２０Ａが左手、第２の袋部分２０Ｂが右手で保持されるようになり、この状態で、前記切り離し部２５の切り込みをきっかけとして包装シート２１を切断すれば、左手でアプリケータ１３の外筒１４が収納されている第１の袋部分２０Ａを保持でき、右手で分離された第２の袋部分２０Ｂを保持できる。
【００５９】
また、前記切り離し部２５で袋２０を切断すると、第２の袋部分２０Ｂと一緒に筒体３０が第１の袋部分２０Ａの内部から引き出されるため、袋２０を開封した直後に、利き腕である右手で処理シート３１を直ちに保持することができる。このとき、筒体３０の開口部３４は、第２の袋部分２０Ｂから外部に突出しているため、この開口部３４を手で開くことで、筒体３０を広げることができる。よって、体外から取り出した使用済みの生理用タンポンを直ちに前記筒体３０の内部に入れて包むことができる。なお、前記筒体３０を形成している処理シート３１を介して指で体外へ延びている紐１２を掴み、この紐１２を引いて吸収体１１を体外へ取り出し、そのまま筒体３０内に使用済みの吸収体１１を包み込むようにしてもよい。
【００６０】
前記処理シート３１は、筒体３０の内面に向く第２の表面３１ｂが吸水機能を有し、筒体３０の外面に向く第１の表面３１ａが樹脂フィルムで形成されている。そのため、吸収体１１を筒体３０で包んだときに吸収体１１から滲み出た経血が前記第２の表面３１ｂにより吸収され、経血が外部に滲み出ることを防止できる。また筒体３０の外面が液遮断機能を有する樹脂フィルムで形成されているため、経血が指に付着するのを防止できる。
【００６１】
なお、前記処理シート３１を用いて使用済みの吸収体１１など処理しているときに、未使用の体液吸収製品１０の外筒１４が、第１の袋部分２０Ａに覆われているため、未使用の外筒１４が汚れるのを防止でき、アプリケータ１３の外筒１４を体内に挿入するときに清潔を保ったまま使用することができる。
【００６２】
図４は、図１ないし図３に示した実施の形態の変形例を示しており、処理シートで形成された筒体のみを示す斜視図である。
【００６３】
図４に示す筒体４０は、処理シート４１で形成されている。この処理シート４１は前記実施の形態の処理シート３１と同じ構造であり、筒体４０の外面に現れる表面が樹脂フィルムで形成され、筒体４０の内面に現れる表面が吸水機能を有する繊維構造物で形成されている。
【００６４】
前記処理シート４１は、端縁部４１ａと端縁部４１ｂとが重ねられ、この重なり部に縦方向に延びるシール線４２によって熱シールされて、筒体４０が形成されている。この筒体４０は、長方形の平坦な状態に折られた後に、折り部４５，４６，４７を形成してＷ字状に折り畳まれている。そして一方の基端部４３が、前記袋２０の第２の袋部分２０Ｂにおいて横シール部２４でシールされて固定されている。そして開口部４４側が前記第１の袋部分２０Ａ内に位置している。前記筒体４０が袋２０内に収納されている状態では、前記筒体４０が折り畳まれた状態で、体液吸収製品１０のアプリケータ１３の前記内筒１６の部分に重ねられている。
【００６５】
図４に示す筒体４０が収納された袋２０も、開封時に切り離し部２５によって袋２０を前後に分離したときに、第２の袋部分２０Ｂから筒体４０が突出した状態になる。この筒体４０の開口部４４を広げることにより、広い開口面積となり、使用済みの吸収体１１を筒体４０で包んで廃棄することができる。
【００６６】
図５は、図１ないし図３に示す実施の形態のさらに他の例を示している。
図５に示す実施の形態では、筒体３０Ａが基本的に図３（Ａ）（Ｂ）に示すものと同じであり、内側への折込み構造も同じである。ただし、図５に示すものでは、第２の袋部分２０Ｂから突出している筒体３０Ａの開口部において処理シート３１が外向きに折り返されて折り返し部３７が形成されている。そして、筒体３０Ａは、前記折り返し部３７が形成されたままの状態で内側折込部３０ａ，３０ｂ，３０ｃ，３０ｄが形成されている。
【００６７】
図６は前記筒体３０Ａを収納した袋２０を切り離し部２５で切り離し、さらに第２の袋部分２０Ｂから突出している筒体３０Ａを広げた状態を示している。図６の状態では、筒体３０Ａの開口部３４Ａが大きく開口するとともに、開口部３４Ａの周囲で折り返された折り返し部３７と筒体３０Ａの外面との間にポケット部３８が形成されている。
【００６８】
この筒体３０Ａの処理シート３１を使用することにより、装着中の吸収体１１から体外へ出ている紐１２を掴むことが容易になる。すなわち図６の状態で、前記ポケット部３８に指を入れて開口部３４Ａで紐１２を掴んで吸収体１１を体外へ引き出すことができる。紐１２を掴むときに紐１２に付着した経血で指を汚すことがなく前記紐１２を引くことができ、さらに体外へ出た吸収体１１および紐１２を筒体３０Ａの中に容易に収納することができる。また使用済みの生理用タンポンを筒体３０Ａ内に収納した状態で、前記折り返し部３７を前方へ折り戻して伸ばすと、筒体３０Ａの実質的な長さ寸法が大きくなって、使用済みの生理用タンポンを筒体３０Ａ内に確実に包み込むことができる。
【００６９】
図７と図８は、本発明の他の実施の形態の処理シートおよびこの処理シートで形成される筒体を示している。
【００７０】
図７に示すように、この筒体５０は、第１の処理シート５１と第２の処理シート５２とから形成されている。第１の処理シート５１と第２の処理シート５２は形状が同じである。第１の処理シート５１は第１の表面５１ａが樹脂フィルムで形成されて液遮断機能を発揮でき、第２の表面５１ｂが吸水機能を有する繊維構造物で形成されている。一方、第２の処理シート５２も、第１の表面５２ａが樹脂フィルムで形成されて液遮断機能を発揮でき、第２の表面５２ｂが吸水機能を発揮する繊維構造物で形成されている。
【００７１】
図７（Ａ）に示すように、第１の処理シート５１と第２の処理シート５２は、第２の表面５１ｂと第２の表面５２ｂとが対面した状態で、第１の処理シート５１の先部の折り返し部５１ｃが、折り線５１ｄにより折られて、第１の処理シート５１の第１の表面５１ａに重ねられ、第２の処理シート５２の先部の折り返し部５２ｃが折り線５１ｄにより外側に折り返されて、第２の処理シート５２の第１の表面５２ａに重ねられる。
【００７２】
そして、図７（Ｂ）に示すように、前記第１の処理シート５１と第２の処理シート５２の両縁部がシール部５３と５４によって熱シールされて、筒体５０が形成される。このとき、前記折り返し部５１ｃが第１の表面５１ａに折り重ねられ、前記折り返し部５２ｃが第１の表面５２ａに折り重ねられたまま、前記折り返し部５１ｃの両縁部と、前記折り返し部５２ｃの両縁部も一緒に前記シール部５３と５４によって熱シールされる。
【００７３】
この筒体５０は基部５５の外形が小さく、図７（Ｃ）に示すように、この基部５５が第２の袋部分２０Ｂの内部に位置し、その基端部分が包装シート２１と横シール部２４で一緒にシールされて固定されている。前記筒体５０は前記基部５５から先の部分が徐々に広がっている。したがって、図７（Ｃ）に示すように、前記筒体５０は、幅寸法が広がっている部分が折り畳まれて、体液吸収製品１０と重ねられた状態で、袋２０内に収納されている。
【００７４】
前記筒体５０は、開口部５６の部分で幅広になっているため、包装シート２１を前記切断部２５において切断し第２の袋部分２０Ｂを分離した状態で、図８（Ａ）に示すように筒体５０の開口部５６を広く開けて使用することができる。このとき、外側へ折られている折り返し部５１ｃ，５２ｃと筒体５０の外面との間にポケット部５７が形成されるため、このポケット部５７に指を入れて、装着中の吸収体１１から体外へ延び出ている紐１２を掴んで吸収体１１を体内から取り出すことができる。図８（Ａ）に示すように、前記紐１２を引いて使用済みの吸収体１１を取り出した後に、そのまま紐１２および吸収体１１を直ちに筒体５０の内部に収納することができる。
【００７５】
または、前記ポケット部５７に一方の手の指を入れ、他方の手の指で前記紐１２を掴んで吸収体１１を体内から取り出し、前記筒体５０の開口部５６によって、取り出された後の吸収体１１を直接掴み、そのまま吸収体１１を筒体５０内に収納してもよい。この場合、吸収体１１は、図８（Ａ）（Ｃ）の向きと逆向きで、すなわち吸収体１１が先行して筒体５０内に収納される。
【００７６】
このように、吸収体１１と紐１２が筒体５０の内部に収納された後に、図８（Ａ）において矢印（ｉ）で示すように、一方の折り返し部５１ｃを前方へ捲って、さらにこの折り返し部５１ｂを、第２の処理シート５２の第１の表面５２ａの外側へ重ねるように折り返す。これにより、図８（Ｂ）および図８（Ｃ）（図８（Ｂ）のＣ−Ｃ線の断面図）に示すように、２枚の折り返し部５１ｃと５２ｃを第２の処理シート５２の第１の表面５２ａへ折り返すことができ、吸収体１１と紐１２を収納した前記筒体５０の開口部５６を密閉することができる。この状態では、経血が筒体５０の外部に滲み出るのを防止できる。
【００７７】
また、図７と図８に示す実施の形態において、一方の処理シート、例えば第１の処理シート５１にのみ折り返し部５１ｃを設け、他方の処理シート、例えば第２の処理シート５２に折り返し部５２ｃを有しない形状にしてもよい。この構造であっても、筒体内に使用済みの吸収体１１と紐１２を収納した後に、前記折り返し部５１ｃを第２の処理シート５２の第１の面５２ａに向けて折り返すことにより、図８（Ｂ）とほぼ同一の状態で開口部５６を閉じたままの状態にできる。
【００７８】
また、前記図２（Ｂ）と図３（Ａ）（Ｂ）に示す筒体３０、図４に示す筒体４０、図５と図６に示す筒体３０Ａ、図７と図８に示す筒体５０のそれぞれにおいて、吸収体１１と紐１２を収納したときに開口部を閉じたままの状態で維持する止着手段を設けることができる。
【００７９】
この止着手段として、例えば図６に示す筒体３０Ａでは、折り返し部３７の外側に向く表面の１箇所または複数箇所に、感圧接着剤層３９ａが設けられて、この感圧接着剤層３９ａが離型シート３９ｂで覆われて保護されている。吸収体１１と紐１２を筒体３０Ａの内部に収納した後に、前記離型シート３９ｂを剥離して感圧接着剤層３９ａを露出させ、この感圧接着剤層３９ａを筒体３０Ａを形成するシートに接着することにより、筒体の開口部を閉じたままの状態で止めることができる。
【００８０】
また、前記止着手段として、図８に示す筒体５０では、一方の折り返し部５１ｃの内側の面、すなわち第１の表面５１ａに向く面に、止着テープ５９が設けられている。この止着テープ５９は、固定部５９ａが前記折り返し部５１ｃの前記内側の面に固着されており、引き出し粘着部５９ｂに感圧接着剤層が設けられて、折り畳まれた状態となっている。
【００８１】
吸収体１１と紐１２を筒体５０の内部に収納し、前記折り返し部５１ｃを折り返した後に、図８（Ｂ）に示すように前記止着テープ５９の引き出し粘着部５９ｂの感圧接着剤層を第２の処理シート５２の第１の表面５２ａに粘着することにより、開口部５６を閉じることができる。
【００８２】
なお、前記感圧接着剤層３９ａによる止着手段および前記止着テープ５９による止着手段は、前記筒体３０、３０Ａ、４０、５０のそれぞれに対して、選択して適用することができる。
【００８３】
図９と図１０は本発明の他の実施の形態を示すものであり、図９は処理シートの折り畳み工程を示し、図１０（Ａ）は折り畳まれた処理シートが第２の袋部分に保持された状態、図１０（Ｂ）は処理シートを展開した状態を示す。
【００８４】
図９（Ａ）に示す処理シート６１は正方形であり、その一辺は５０ｍｍ以上、さらに好ましくは８０ｍｍ以上である。処理シート６１の図の姿勢での下面は液遮断性機能を有するために樹脂フィルムで形成された第１の表面６１ａである。そして図９（Ａ）で上を向いている面が吸水機能を有する繊維構造物で形成された第２の表面６１ｂである。
【００８５】
図９（Ａ）に示す処理シート６１の幾何学的な中心を折り中心６２として、この折り中心６２で交叉する第１の折り線６３と第２の折り線６４を設定する。そして前記吸水機能を有する第２の表面６１ｂが内側へ向くように、まず第１の折り線６３で処理シート６１を折り、その後に第２の折り線６４で折って、図９(Ｂ）に示すように処理シート６１を４枚重ねに折る。
【００８６】
さらに図９（Ｂ）に示す折り畳み体を、前記折り中心６２とその対角を結ぶ第３の折り線６５で折って、図９（Ｃ）に示すように全体が３角形のシート折り体６０が形成される。
【００８７】
図１０（Ａ）に示すように、前記シート折り体６０はさらに細く曲げられて、袋２０内に収納される。そして前記処理シート６１の前記折り中心６２またはその近傍が、横シール部２４において包装シート２１と共にシールされて固定される。そして、個包装体１の袋２０の内部では、図１０（Ａ）に示すように折られた処理シート６１が、アプリケータ１３の内筒１６と包装シート２１との間のスペース内に納められている。
【００８８】
この個包装体を開封する際には、前記切り離し部２５によって第１の袋部分２０Ａと第２の袋部分２０Ｂに分離するが、このとき図１０（Ａ）に示すように、処理シート６１は、第２の袋部分２０Ｂから外部へ突出した状態となる。この処理シート６１を図１０（Ｂ）に示す状態に広げるときには、第２の袋部分２０Ｂを構成する包装シート２１を横シール部２４に向けて手繰り寄せることにより、処理シート６１を平面に近い状態に展開することができる。
【００８９】
処理シート６１の樹脂フィルムで形成された第１の表面６１ａに指を当てて、吸水機能を有する第２の表面６１ｂで体外へ出ている紐１２を掴んで吸収体１１を体内から引き出すことができる。また体内から引き出した吸収体１１を前記第２の表面６１ｂを内側として包んで廃棄することができる。
【００９０】
なお、図２（Ｂ）、図５、図６、図７（Ｃ）に示す実施の形態においても、袋２０を切断した後に、第２の袋部分２０Ｂを形成する包装シート２１を横シール部２４に向けて手繰り寄せることによって、筒体状の処理シート３１，５１，５２を大きく広げることが可能である。
【００９１】
図１１は本発明のさらに他の実施の形態を示している。
図１１に示す処理シート７１は、前記と同様に第１の表面７１ａが樹脂フィルムで形成され、第２の表面７１ｂが吸水機能を有する繊維構造物で形成されている。この処理シート７１は展開した状態が正方形または長方形であり、図１１に示すように前記第２の表面７１ｂが内側になるように丸められた巻き体７０が形成されている。この巻き体７０が図１に示す袋２０の内部に収納され、巻き体７０の基端部７２が横シール部２４において包装シート２１と一緒に溶着されて固定される。
【００９２】
この処理シート７１が収納された袋２０は、切り離し部２５により分離されるが、分離された第２の袋部分２０Ｂから前記巻き体７０が突出した状態となる。図１０（Ｂ）に示したのと同様に、第２の袋部分２０Ｂを構成する包装シート２１が横シール部２４に向けて手繰り寄せられ、処理シート７１がほぼ平面シートに近い状態に広げられて使用済みの吸収体１１が処理される。
【００９３】
また、前記図９と図１０に示す処理シート６１と図１１に示す処理シート１１に、図６に示す前記感圧接着剤層３９ａによる止着手段、または図８に示す前記止着テープ５９による止着手段を設けてもよい。
【００９４】
図１２と図１３は個包装体の基本的な構造が図１に示すものと相違する実施の形態が示されている。
【００９５】
図１２に示す個包装体１０１の袋２０は、包装シート２１で縦長に形成されたものであり、切り離し部２５によって第１の袋部分２０Ａと第２の袋部分２０Ｂとに分離される。第２の袋部分２０Ｂの内部には処理シート８２が収納されている。この処理シート８２は図１ないし図１１のいずれかに示すものから選択される。
【００９６】
図１２に示す実施の形態では、袋２０の第２の袋部分２０Ｂの端部に、横シール部２４で接合された引張りタブ８１が連結されている。開封前は、この引張りタブ８１が個包装体１０１を形成する包装シート２１の外面に折り曲げられ且つ包装シート２１の外面から簡単に剥がすことができるように接着されている。開封時には、前記引張りタブ８１を包装シート２１の外面から剥がし、これを保持して引っ張ることで、切り離し部２５の部分で第２の袋部分２０Ｂを簡単に分離することができる。
【００９７】
図１３に示す実施の形態では、個包装体１１０を形成する袋１２０が前記と同様の包装シート２１で形成されて、縦シール部（図示せず）と横シール部１２３，１２４を有して縦長に形成されている。この袋１２０の内部は、長手方向の途中部分に形成されたシール部１２６によりシールされて、第１の収納空間１２７と第２の収納空間１２８に分離されている。第１の収納空間１２７内に前記体液吸収製品１０が収納され、第２の収納空間１２８内に前記処理シート８２が収納され、この処理シート８２が横シール部１２４において包装シートの内面に固定されている。
【００９８】
前記第１の収納空間１２７には、前後に分離できるようにミシン目が形成された第１の切り離し部１２９が形成され、第２の収納空間１２８には、同じく前後に分離できるようにミシン目が形成された第２の切り離し部１２５が形成されている。
【００９９】
この実施の形態では、袋１２０の横シール部１２３が形成されている端部から前記第２の切り離し部１２５までが第１の袋部分１２０Ａで、前記第２の切り離し部１２５から横シール部１２４が形成された端部までが第２の袋部分１２０Ｂである。
【０１００】
この実施の形態では、最初に第２の切り離し部１２５で袋１２０を切断し、第２の袋部分１２０Ｂを分離する。このとき第２の袋部分１２０Ｂから前記処理シート８２が突出した状態である。この処理シート８２は、図１ないし図１１に示すいずれかの形態であり、この処理シート８２を使用して体内からの吸収体１１の取り出し、および取り出し後の吸収体１１を包んで捨てる処理が行われる。このとき、第１の収納空間１２９は未開封であるため、体液吸収製品１０を外部の汚れから守ることができる。
【０１０１】
前記処理シート８２で使用済みの吸収体１１を処理した後に、第１の切り離し部１２９で包装シートを破って第１の収納空間を開封し、内部の未使用の体液吸収製品１０を取り出して使用する。
【０１０２】
この実施の形態では、処理シート８２で使用済みの吸収体１１を処理しているときに、未使用の体液吸収製品１０が第１の収納空間１２７に密封された状態であるので、未使用の体液吸収製品１０を清潔な状態に保つことができる。
【０１０３】
また前記各個包装体に、アプリケータを用いない、いわゆるフィンガー挿入タイプの吸収体１１および紐１２が封入されているものであってもよい。
【０１０４】
【発明の効果】
本発明では、個包装体の包装シートを切断して開封したときに、開封された袋部分に処理シートが固定されているため、開封直後に処理シートを手にすることができる。よってこの処理シートを用いて、使用済みの吸収体の処理が可能である。また、分離された袋部分から処理シートが突出しているため、この処理シートを広く広げて吸収体を処理することができる。
【図面の簡単な説明】
【図１】本発明の体液吸収製品の個包装体を示す斜視図、
【図２】（Ａ）は分離後の第１の袋部分を示す斜視図、（Ｂ）は第２の袋部分を示す斜視図、
【図３】（Ａ）は第２の袋部分と処理シートの筒体を示す斜視図、（Ｂ）は筒体を示す斜視図、
【図４】前記筒体の折り畳み方の変形例を示す斜視図、
【図５】前記筒体にポケット部を形成した例を示す斜視図、
【図６】図５に示した筒体を広げた状態を示す斜視図、
【図７】（Ａ）（Ｂ）（Ｃ）は他の構造の筒体を形成する工程を示す斜視図、
【図８】（Ａ）は図７に示す筒体に吸収体を収納する状態を示す斜視図、（Ｂ）は筒体の開口部を閉じた状態を示す斜視図、（Ｃ）は（Ｂ）のＣ−Ｃ線の断面図、
【図９】（Ａ）（Ｂ）（Ｃ）は処理シートを折り畳む工程の他の例を工程別に示す斜視図、
【図１０】（Ａ）は図９（Ｃ）に示す処理シートの折り畳み体が第２の袋部分の内部に接合された状態を示す斜視図、（Ｂ）は処理シートを広げた状態を示す斜視図、
【図１１】処理シートを丸めた状態を示す斜視図、
【図１２】他の個包装体の構造を示す斜視図、
【図１３】他の実施の形態の個包装体を示す斜視図、
【符号の説明】
１，１０１，１１０  個包装体
１０  体液吸収製品
１１  吸収体
１２  紐
１３  アプリケータ
１４  外筒
１６  内筒
２０  袋
２０Ａ，１２０Ａ  第１の袋部分
２０Ｂ，１２０Ｂ  第２の袋部分
２５  切り離し部
３０，３０Ａ，  筒体
３１  処理シート
３７  折り返し部
３８  ポケット部
４０  筒体
４１  処理シート
５０  筒体
５１，５２  処理シート
６１  処理シート
６２  折り中心
６３，６４，６５  折り線
７１  処理シート
８１  引張りタブ
８２  処理シート
１２７  第１の収納空間
１２８  第２の収納空間
【図１】
0003875059.tif 000002
【図２】
0003875059.tif 000003
【図３】
0003875059.tif 000004
【図４】
0003875059.tif 000005
【図５】
0003875059.tif 000006
【図６】
0003875059.tif 000007
【図７】
0003875059.tif 000008
【図８】
0003875059.tif 000009
【図９】
0003875059.tif 000010
【図１０】
0003875059.tif 000011
【図１１】
0003875059.tif 000012
【図１２】
0003875059.tif 000013
【図１３】
0003875059.tif 000014